(57)【要約】【課題】機械的な操作により、マッサージ装置部分が前方又は後方へ傾き、角度を多様に変化させることにより従来のマッサージ製品の上記欠点を解消する。【解決手段】本発明に係る角度調整型マッサージ装置は、マッサージ器（2）及びその固定装置を有する角度調整型マッサージ装置であって、ベースフレームをさらに備える。前記マッサージ器の固定装置と前記ベースフレームとの間に、角度調整装置（4、10）が接続し配置される。さらに、底部フレームを備え、該底部フレームと、前記ベースフレームとの間に、角度調整装置（6、11）が接続し配置される。手動で前方または後方へ操作することにより、前記マッサージ器が前記ベースフレームに対する角度を調整する、または前記ベースフレームが該底部フレームに対する角度を調整する、即ち、該装置のマッサージ部は、其他部分に対し角度と位置を変化することができる。【選択図】図１
2013529515.tif 000002
【特許請求の範囲】
【請求項１】
マッサージ器及びその固定装置を有する角度調整型マッサージ装置であって、
ベースフレームをさらに備え、
前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整する
ことを特徴とする角度調整型マッサージ装置。
【請求項２】
前記マッサージ器の固定装置は、内部フレーム横ばりが設置される内部フレームを有し、前記マッサージ器を前記内部フレーム横ばりに固定する
ことを特徴とする請求項１に記載の角度調整型マッサージ装置。
【請求項３】
前記ベースフレームは、外部フレーム横ばりが設置される外部フレームであり、前記マッサージ器の固定装置を該外部フレーム横ばりに固定する
ことを特徴とする請求項１に記載の角度調整型マッサージ装置。
【請求項４】
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする請求項２又は３に記載の角度調整型マッサージ装置。
【請求項５】
マッサージ器（２）は、固定ブロック（２５）及び固定ブロック（２５）に取り付けられる複数のマッサージヘッド（２６）を備え、
固定ブロック（２５）には、取り付け孔（８１、８２、９２、９１）にそれぞれ対応して、取り付け孔（２１、２２、２３、２４）が設けられ、
マッサージ器（２）が、これらの取り付け孔を介して、内部フレーム横ばり（８）及び内部フレーム横ばり（９）に対して着脱自在に固定される
ことを特徴とする請求項１又は４に記載の角度調整型マッサージ装置。
【請求項６】
底部フレームをさらに備え、
該底部フレームと、前記ベースフレームとの間に、前記ベースフレームの該底部フレームに対する固定位置を調整する角度調整装置が配置され接続する
ことを特徴とする請求項１ないし５のいずれか一項に記載の角度調整型マッサージ装置。
【請求項７】
前記底部フレームは、座部フレーム（７）であり、前記角度調整装置は第三及び第四の角度調整装置（６、１１）を有し、
第三の角度調整装置（６）の一端（６１）は、外部フレーム（１）の他端（１１）における延伸部と結合し固定され、第三の角度調整装置（６）の他端（６２）は、座部フレーム（７）の第一の接続ポイント（７１）に固定し接続され、
第四の角度調整装置（１１）の一端（１１１）は、外部フレーム（１）の一端（１２）における延伸部と結合し固定され、第四の角度調整装置（１１）の他端（１１２）は、座部フレーム（７）の第二接続点（７２）に固定し接続される
ことを特徴とする請求項６に記載の角度調整型マッサージ装置。
【請求項８】
クッション製品であって、
請求項１〜５のいずれか一項に記載の前記角度調整型マッサージ装置における各フレームに、カバー、或いは、柔軟な材料とカバーを被覆して形成される
ことを特徴とするクッション製品。
【請求項９】
椅子製品であって、
そのクッションは、請求項６または７に記載の前記角度調整型マッサージ装置における各フレームに、カバー、或いは、柔軟な材料とカバーを包んで被覆して形成される
ことを特徴とする椅子製品。
【発明の詳細な説明】
【技術分野】
【０００１】
本発明はマッサージ装置に関し、特に椅子、ソファーやクッションなどの製品に適用され、機械的な操作により互いに角度を調整できるマッサージ装置に関する。
【背景技術】
【０００２】
従来、マッサージ機能を有する製品として、椅子、ソファー、クッション、又は他の知られている製品などに取り付けられるマッサージ装置が挙げられる。これらのマッサージ用製品の共通点は、マッサージ装置は、いずれも上記製品の背部フレームなどに固定して取り付けられ、マッサージ装置部分と背部フレームなどの部分との相対角度及び位置を変化することができない。その不足点は以下の通りである。
【０００３】
１．これらのマッサージ装置は背部フレームに固定して取り付けられているため、マッサージ機能を使わず、普通の座椅子などの用途として用いる場合に、使用者は背部フレームに寄りかかると、背中が常に突出したマッサージ装置に突き当たり、痛みなどの不快感を与える。長時間使用にあたって人体の背中などの部位に損傷を与える。２．従来のマッサージ機能を有する製品は、電子部品によりマッサージヘッドを制御することで、マッサージ強度と人体に対するマッサージの部位を変えることができるものの、マッサージ強度とマッサージの部位の変化範囲はあらかじめ設定されているため、実際に使用する時の要望に応じて、既定された範囲よりも広く調整できず、使い勝手が良くなく、マッサージの効果に悪影響を与える。
【発明の開示】
【発明が解決しようとする課題】
【０００４】
本発明は角度調整型マッサージ装置を提供することを目的とする。該マッサージ装置は機械的な操作により、マッサージ装置部分が前方又は後方へ傾き、角度を多様に変化させることにより従来のマッサージ製品の上記欠点を解消する。
【課題を解決するための手段】
【０００５】
この目的を達するために、本発明において、製品の外部フレーム（背部フレーム）内に、新たに一つのフレームを増設し、外部フレームと増設されたフレームとの間に、角度調整装置により接続され、マッサージ装置部分を増設されたフレームに固定し取り付けられ、手動で前方または後方へ操作することにより、角度調整装置を動かし、タップ位置を変換させることにより、増設されたフレームが外部フレームに対し前方または後方へ傾く角度が変化され、増設されたフレームに固定され取り付けられたマッサージ装置部は、増設されたフレームと共に外部フレームに対し前方または後方へ傾斜する角度が変化される。これにより、本発明を実現し、即ち、マッサージ装置部は、製品の其他部分に対し角度と位置を変化することができる。
【０００６】
具体的に、本発明に係る角度調整型マッサージ装置は、マッサージ器及びその固定装置を有する角度調整型マッサージ装置であって、ベースフレームをさらに備え、前記マッサージ器の固定装置と前記ベースフレームとの間に、角度調整装置が接続し配置され、前記マッサージ器の固定装置が前記ベースフレームに対する角度を調整することにより、前記マッサージ器が前記ベースフレームに対する角度を調整する。
【０００７】
さらに、前記マッサージ器の固定装置は、内部フレーム横ばりが設置される内部フレームであり、前記マッサージ器が前記内部フレーム横ばりに固定される。
【０００８】
前記ベースフレームは、外部フレーム横ばりが設置される外部フレームであり、前記マッサージ器の固定装置が該外部フレーム横ばりに固定される。
【０００９】
さらに、底部フレームをさらに備え、該底部フレームと、前記ベースフレームとの間に、前記ベースフレームが該底部フレームに対する固定位置を調整する角度調整装置が接続し配置される。
【００１０】
本願はクッション製品または椅子製品を提供し、該クッション製品または椅子製品は、前記した角度調整型マッサージ装置を構成する各フレームに、カバー、または柔軟材料とカバーを包んで形成される。
【発明の効果】
【００１１】
本発明は下記の効果を奏する。従来の製品においてマッサージ装置が使用者に触れ、座る感触を悪くする欠点を解消でき、また、従来の製品におけるマッサージヘッドに対する制御に加えて、マッサージ装置の角度を調整する手段を増設することにより、マッサージの強さを大幅に増加し、より広い範囲内でマッサージする部位を変化することができる。
本発明に係る製品は，椅子、ソファー、クッション及び他の座るための製品、又は横になるための製品を含むものであり、特にこれらの製品に限られるものではない。
【図面の簡単な説明】
【００１２】
【図１】本発明の実施例に係る構成組み立て図である。
【図２】図１に示す実施例の「マッサージ器２」部分の俯視図である。
【図３】図１に示す実施例の「内部フレーム３」部分の拡大概念図である。
【図４】本発明に用いられる角度調整装置が角度調整する（タップ位置変化）ことを示す概念図である。
【図５ａ】図１に示す実施例において相対角度を調整した後の角度を示す第一の例である。
【図５ｂ】図１に示す実施例において相対角度を調整した後の角度を示す第二の例である。
【図５ｃ】図１に示す実施例において相対角度を調整した後の角度を示す第三の例である。
【図６】図１に示す実施例のフレームに、スポンジ及びカバーを包んで形成したクッション製品の使用状態をしめす概念図である。
【図７】図１に示す実施例のフレームに、スポンジ及びカバーを包んで形成したクッション製品の他の使用状態を示す概念図である。
【図８】本発明の他の実施例の構成組み立て図である。
【図９ａ】図８に示す実施例において相対角度を調整した後の角度を示す第一の例である。
【図９ｂ】図８に示す実施例において相対角度を調整した後の角度を示す第二の例である。
【図９ｃ】図８に示す実施例において相対角度を調整した後の角度を示す第三の例である。
【図９ｄ】図８に示す実施例において相対角度を調整した後の角度を示す第四の例である。
【図１０】図８に示す実施例のフレームに、スポンジ及びカバーを包んで形成した横になる用の椅子製品において、中央部分のマッサージ装置が後方へ傾く使用状態を示す概念図である。
【図１１】図８に示す実施例のフレームに、スポンジ及びカバーを包んで形成した椅子製品において、中央部分のマッサージ装置が前方へ傾く使用状態を示す概念図である。
【発明を実施するための最良の形態】
【００１３】
図１〜４に示すように、本発明の一の実施例に係る角度調整可能なマッサージ装置は、外部フレーム１、マッサージ器２、内部フレーム３、内部フレームの横ばり８と横ばり９、第一角度調整装置４と第二角度調整装置１０、及び外部フレームの横ばり５を含む。内部フレーム３に、２本の横ばり８、９が平行に設けられ、横ばり８に取り付け孔８１、８２が形成され、横ばり９に取り付け孔９１、９２が形成されている。
【００１４】
マッサージ器２は、固定ブロック２５及び固定ブロック２５に取り付けられる複数のマッサージヘッド２６によって構成される。固定ブロック２５には、取り付け孔８１、８２、９２、９１にそれぞれ対応する取り付け孔２１、２２、２３及び２４が形成されている。マッサージ器２は、ナットやボルト（便宜上、図示せず）などにより、上記取り付け孔を介して、取り外し可能に横ばり８および横ばり９に対して固定されて、内部フレーム３に固定される。
【００１５】
内部フレーム３の一端３２は、第一角度調整装置４の第一のヒンジロッド４１に結合して固定され、また、第一角度調整装置４の第二ヒンジロッド４２は、外部フレーム横ばり５の第一接続孔５４に結合し固定される。
【００１６】
内部フレーム３の他端３１は、第二角度調整装置１０の第一ヒンジロッド１０１に結合し固定され、第二角度調整装置１０の第二ヒンジロッド１０２は、外部フレーム横ばり５の第二接続孔５３に結合し固定される。
【００１７】
外部フレーム横ばり５の一端５１は、溶接により外部フレーム１の一端１２の内側に固定され、外部フレーム横ばり５の他端５２は、溶接により外部フレーム１の他端１１の内側に固定される。
【００１８】
内部フレーム３及び該内部フレーム３に固定されるマッサージ器２は、角度調整装置４と１０のタップ位置の変更によって、外部フレーム１に対する角度及び位置を調節することができる。
【００１９】
マッサージ装置２の固定ブロック２５、マッサージヘッド２６、及び第一角度調整装置４と第二角度調整装置１０は、いずれも従来の構成を採用してもよく、説明を省略する。
具体的に使用する時に、手動で上方又は下方へ内部フレーム３を操作することにより、第一角度調整装置４、第二角度調整装置１０のタップ位置を変更し、所定の角度に停止し固定し、例えば図４に示される位置Ａ又はＢなどの位置に停止し固定することにより、外部フレーム１に対する内部フレーム３の角度を調整するとともに、外部フレーム１に応じて、内部フレーム３に固定されるマッサージ装置２の角度を変化させ、マッサージ装置の相対角度を変化させる目的を達する。
【００２０】
図５ａ、図５ｂ及び図５ｃは、図１に示す実施例において、内部フレーム３及びマッサージ装置２と、外部フレーム１との間の相対角度を３つの異なる角度値に調整する例を示す。
【００２１】
図５ａは、内部フレーム３とマッサージ装置２は、後方へ傾き、外部フレーム１に対する相対角度及び位置を変化させた状態を示す。図５ｂは、内部フレーム３とマッサージ装置２は、外部フレーム１に対する相対角度及び位置を変化させていない状態を示す。図５ｃは、内部フレーム３とマッサージ装置２は、前方へ傾き、外部フレーム１に対する相対角度及び位置が変化させた状態を示す。なお、以上３つの異なる状態を例として説明したが、理論的に、従来の角度調整装置の技術を利用することにより、角度と状態を３つ以上に変化させることができる。
【００２２】
さらに、図１に示す実施例における構成フレームに対し、カバー、又は柔軟な材料（例えばスポンジ）とカバーを包むことにより、クッション製品とすることができる。
【００２３】
図６には、本発明の上記実施例の構成から得られるクッション製品を示し、手動操作により、内部フレーム部１６（内部に突起したマッサージ装置が設置される）を、基本フレーム部１７（内部に外部フレーム背もたれが設置される）に対し前傾し角度を変化させた使用状態を示す。このような使用状態では、マッサージ器が人体に対するマッサージの部位及び強度はその前の状態と比べて変化する。
【００２４】
図７は手動操作により、内部フレーム部１６（突起したマッサージ装置を内部に設置したもの）を、基本フレーム部１７（外部フレーム背もたれを内部に設置したもの）に対して後傾させ、角度を変化させた使用状態を示す。このような使用状態において，内部フレーム部１６の表面は、基本フレーム部１７の表面よりも低くなることで、使用時に、内部フレーム部１６（突起したマッサージ装置を内部に設置したもの）の代わりに、柔軟な基本フレーム部１７が人体の背中の部分などの部位に触れるため、マッサージ装置が、人体の背中などの部位に対して、痛みを感じさせたり、傷つけさせたりすることを防ぐ。
【００２５】
もちろん、使用時に、必要に応じて角度調整装置により、内部フレーム部１６（突起したマッサージ装置を内部に設置したもの）をより多段に角度変化させ、様々な使用態様とする。
【００２６】
図８〜図１１は、本発明の他の実施例を示す。言い換えれば、上記実施例（図１）に基づいて得られる椅子の実施例（横になることが可能な椅子、例えば和式の座椅子など）を示す。
【００２７】
本実施例は、図１に示す構成に加えて、さらに座部フレーム７と第三角度調整装置６、第四角度調整装置１１を備える。
【００２８】
第三角度調整装置６の一端６１が、外部フレーム１の他端１１の伸びる部分と結合し固定され、第三角度調整装置６の他端６２は、座部フレーム７の第一接続ポイント７１に固定し接続（例えば溶接）される。
【００２９】
第四角度調整装置１１の一端１１１は、外部フレーム１の一端１２の伸びる部分と結合し固定され、第四角度調整装置１１の他端１１２は、座部フレーム７の第二接続ポイント７２に固定し接続（例えば溶接）される。
【００３０】
このような構成では、新たな第三角度調整装置６、第四角度調整装置１１により、外部フレーム１と新たに増設した座部フレーム７との間の角度を調整することができる。
【００３１】
具体的に、使用時に、手動で上方又は下方へ外部フレーム１を操作し、第三角度調整装置６、第四角度調整装置１１のタップ位置を調整し、所望の角度に止めて固定し（図４に示すように）、外部フレーム１と座部フレーム７との間の角度を変化するとともに、内部フレーム３に固定されるマッサージ装置２は、座部フレーム７に応じて角度が変化される。これにより、マッサージ装置の相対角度を変化する目的を達する。
【００３２】
また、図５ａ〜５ｂに示す実施例のように、内部フレーム３及びマッサージ装置２は、さらに、外部フレーム１に対する角度を調整することもできる。
【００３３】
以上のように、図８に示す実施例において、それぞれ独立した二つの角度調整システムを有する。しかし、上記二つの角度調整システムを組み合わせて使用してもよく、この場合、マッサージ装置は、より多くの相対角度と位置に変化することができ、様々な使用態様とすることができる。
【００３４】
図９ａ、図９ｂ、図９ｃ及び図９ｄは、図８に示す実施例において、相対角度を４つの異なる角度値に調整した例である。図９ａは、内部フレーム３及びマッサージ装置２は、外部フレーム１に対する相対角度および位置を変化させていない状態を示す。図９ｂは、内部フレーム３及びマッサージ装置２は、前方へ傾き、外部フレーム１に対する相対角度と位置を変化させた状態を示す。図９ｃは、内部フレーム３及びマッサージ装置２は、前方へ傾き、外部フレーム１に対する相対角度と位置を変化させ、外部フレーム１は座部フレーム７に対する相対角度と位置を変化させた状態を示す。図９ｄは、内部フレーム３及びマッサージ装置２は、後方へ傾き、外部フレーム１に対する相対角度と位置を変化させ、外部フレーム１は座部フレーム７に対する相対角度と位置を変化させた状態を示す。なお、以上は４つの異なる角度を例として説明したが、論理的に、如何なる角度に変化することができ、また、この角度の変化は角度調整装置の機能の設計による。
【００３５】
さらに、図８に示す実施例の構成フレームを、カバー、又は柔軟な材料（例えばスポンジ）およびカバーで包むことにより、横になることが可能な椅子製品とする。
【００３６】
図１０（横になれる式椅子）は、手動操作により、内部にマッサージ装置を設置した椅子の内部フレーム部１８を背もたれとし、内部に外部フレームを設置した椅子の基本フレーム部１９に対して、後方へ傾けて、角度を変化させて使用する状態を示す。このような使用状態において、椅子の内部フレーム部１８の平面は、椅子の基本フレーム部１９の平面よりも低くなるため、椅子の内部フレーム部１８（突起したマッサージ装置を内部に設置したもの）の代わりに、柔軟な椅子の基本フレーム部１９が人体の背中などの部位に触れることで、人体の背中などの部位に痛みを感じさせたり、傷つけさせたりすることを防ぐ。
【００３７】
図１１は、手動操作により、内部に突起したマッサージ装置を設置した椅子の内部フレーム部１８を、背もたれとして内部に外部フレームを設置した椅子の基本フレーム部１９に対して、前方へ傾けて、角度を変化させて使用する状態を示したものである。このような使用状態で、椅子の内部フレーム部１８（突起したマッサージ装置を内部に設置したもの）の表面が椅子の基本フレーム部１９の表面よりも高くなるため、内部フレーム部１８（突起したマッサージ装置を内部に設置したもの）がさらに突出し、人体の背中の部分に触れることで、人体の背中などの部位に対するマッサージの強度及びマッサージの部位を変えることができる。
【００３８】
もちろん、使用時に、必要に応じて角度調整装置により、内部フレーム部１８（突起したマッサージ装置を内部に設置したもの）をより多くの角度に変化させて、様々な使用態様とする。
【００３９】
以上は、当業者が本発明を理解し応用できるように、上記実施例を詳しく説明したが、当業者は、容易にこれらの実施例を多様に変更し、さらに上記説明した発想を他の実施例に適用することができることは明らかである。すなわち、本発明は上記実施例に限定されるものではなく、当業者は、本発明に基づき、特許の請求範囲に記載される発明を逸脱することなく、本発明の要旨の範囲内に、種々の変更・変形が可能である。
【図１】
2013529515.tif 000003
【図２】
2013529515.tif 000004
【図３】
2013529515.tif 000005
【図４】
2013529515.tif 000006
【図５ａ】
2013529515.tif 000007
【図５ｂ】
2013529515.tif 000008
【図５ｃ】
2013529515.tif 000009
【図６】
2013529515.tif 000010
【図７】
2013529515.tif 000011
【図８】
2013529515.tif 000012
【図９ａ】
2013529515.tif 000013
【図９ｂ】
2013529515.tif 000014
【図９ｃ】
2013529515.tif 000015
【図９ｄ】
2013529515.tif 000016
【図１０】
2013529515.tif 000017
【図１１】
2013529515.tif 000018
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
マッサージ器及びその固定装置を有する角度調整型マッサージ装置であって、
ベースフレームをさらに備え、
前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、
前記マッサージ器の固定装置は、内部フレーム横ばりが設置される内部フレームを有し、前記マッサージ器を前記内部フレーム横ばりに固定し、
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする角度調整型マッサージ装置。
【請求項２】
マッサージ器及びその固定装置を有する角度調整型マッサージ装置であって、
ベースフレームをさらに備え、
前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、
前記ベースフレームは、外部フレーム横ばりが設置される外部フレームであり、前記マッサージ器の固定装置を該外部フレーム横ばりに固定し、
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする角度調整型マッサージ装置。
【請求項３】
マッサージ器及びその固定装置を有する角度調整型マッサージ装置であって、
ベースフレームをさらに備え、
前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、
マッサージ器（２）は、固定ブロック（２５）及び固定ブロック（２５）に取り付けられる複数のマッサージヘッド（２６）を備え、
固定ブロック（２５）には、取り付け孔（８１、８２、９２、９１）にそれぞれ対応して、取り付け孔（２１、２２、２３、２４）が設けられ、
マッサージ器（２）が、これらの取り付け孔を介して、内部フレーム横ばり（８）及び内部フレーム横ばり（９）に対して着脱自在に固定される
ことを特徴とする角度調整型マッサージ装置。
【請求項４】
前記マッサージ器の固定装置は、内部フレーム横ばりが設置される内部フレームを有し、前記マッサージ器を前記内部フレーム横ばりに固定し、
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする請求項３に記載の角度調整型マッサージ装置。
【請求項５】
前記ベースフレームは、外部フレーム横ばりが設置される外部フレームであり、前記マッサージ器の固定装置を該外部フレーム横ばりに固定し、
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする請求項３に記載の角度調整型マッサージ装置。
【請求項６】
マッサージ器及びその固定装置を有する角度調整型マッサージ装置であって、
ベースフレームをさらに備え、
前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、
底部フレームをさらに備え、
該底部フレームと、前記ベースフレームとの間に、前記ベースフレームの該底部フレームに対する固定位置を調整する角度調整装置が配置され接続する
ことを特徴とする角度調整型マッサージ装置。
【請求項７】
前記マッサージ器の固定装置は、内部フレーム横ばりが設置される内部フレームを有し、前記マッサージ器を前記内部フレーム横ばりに固定する
ことを特徴とする請求項６に記載の角度調整型マッサージ装置。
【請求項８】
前記ベースフレームは、外部フレーム横ばりが設置される外部フレームであり、前記マッサージ器の固定装置を該外部フレーム横ばりに固定する
ことを特徴とする請求項６に記載の角度調整型マッサージ装置。
【請求項９】
内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、
内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、
内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される
ことを特徴とする請求項７又は８に記載の角度調整型マッサージ装置。
【請求項１０】
マッサージ器（２）は、固定ブロック（２５）及び固定ブロック（２５）に取り付けられる複数のマッサージヘッド（２６）を備え、
固定ブロック（２５）には、取り付け孔（８１、８２、９２、９１）にそれぞれ対応して、取り付け孔（２１、２２、２３、２４）が設けられ、
マッサージ器（２）が、これらの取り付け孔を介して、内部フレーム横ばり（８）及び内部フレーム横ばり（９）に対して着脱自在に固定される
ことを特徴とする請求項６又は９に記載の角度調整型マッサージ装置。
【請求項１１】
前記底部フレームは、座部フレーム（７）であり、前記角度調整装置は第三及び第四の角度調整装置（６、１１）を有し、
第三の角度調整装置（６）の一端（６１）は、外部フレーム（１）の他端（１１）における延伸部と結合し固定され、第三の角度調整装置（６）の他端（６２）は、座部フレーム（７）の第一の接続ポイント（７１）に固定し接続され、
第四の角度調整装置（１１）の一端（１１１）は、外部フレーム（１）の一端（１２）における延伸部と結合し固定され、第四の角度調整装置（１１）の他端（１１２）は、座部フレーム（７）の第二接続点（７２）に固定し接続される
ことを特徴とする請求項６ないし１０のいずれか一項に記載の角度調整型マッサージ装置。
【請求項１２】
椅子製品であって、
前記椅子製品のクッションは、請求項６ないし１１のいずれか一項に記載の前記角度調整型マッサージ装置における各フレームに、カバー、或いは、柔軟な材料とカバーを包んで被覆して形成される
ことを特徴とする椅子製品。
【手続補正２】
【補正対象書類名】明細書
【補正対象項目名】０００６
【補正方法】変更
【補正の内容】
【０００６】
具体的に、本発明に係る角度調整型マッサージ装置は、マッサージ器及びその固定装置を有する角度調整型マッサージ装置であって、ベースフレームをさらに備え、前記マッサージ器の固定装置と前記ベースフレームとの間に、角度調整装置が接続し配置され、前記マッサージ器の固定装置が前記ベースフレームに対する角度を調整することにより、前記マッサージ器が前記ベースフレームに対する角度を調整し、前記マッサージ器の固定装置は、内部フレーム横ばりが設置される内部フレームを有し、前記マッサージ器を前記内部フレーム横ばりに固定し、内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される。
【手続補正３】
【補正対象書類名】明細書
【補正対象項目名】０００７
【補正方法】変更
【補正の内容】
【０００７】
具体的に、本発明に係る角度調整型マッサージ装置は、マッサージ器及びその固定装置を有する角度調整型マッサージ装置であって、ベースフレームをさらに備え、前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、前記ベースフレームは、外部フレーム横ばりが設置される外部フレームであり、前記マッサージ器の固定装置を該外部フレーム横ばりに固定し、内部フレーム（３）には、二つの平行する内部フレーム横ばり（８、９）が設けられ、内部フレーム横ばり（８）に取り付け孔（８１、８２）が設けられ、内部フレーム横ばり（９）に取り付け孔（９１、９２）が設けられ、内部フレーム（３）の一端（３２）は、第一角度調整装置（４）の第一ヒンジロッド（４１）に結合し固定され、第一の角度調整装置（４）の第二ヒンジロッド（４２）は、外部フレーム横ばり（５）の第一接続孔（５４）に結合し固定され、内部フレーム（３）の他端（３１）は、第二角度調整装置（１０）の第一ヒンジロッド（１０１）に結合し固定され、第二角度調整装置（１０）の第二ヒンジロッド（１０２）は、外部フレーム横ばり（５）の第二接続孔（５３）に結合し固定される。
【手続補正４】
【補正対象書類名】明細書
【補正対象項目名】０００８
【補正方法】変更
【補正の内容】
【０００８】
具体的に、本発明に係る角度調整型マッサージ装置は、マッサージ器及びその固定装置を有する角度調整型マッサージ装置であって、ベースフレームをさらに備え、前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、マッサージ器（２）は、固定ブロック（２５）及び固定ブロック（２５）に取り付けられる複数のマッサージヘッド（２６）を備え、固定ブロック（２５）には、取り付け孔（８１、８２、９２、９１）にそれぞれ対応して、取り付け孔（２１、２２、２３、２４）が設けられ、マッサージ器（２）が、これらの取り付け孔を介して、内部フレーム横ばり（８）及び内部フレーム横ばり（９）に対して着脱自在に固定される。
【手続補正５】
【補正対象書類名】明細書
【補正対象項目名】０００９
【補正方法】変更
【補正の内容】
【０００９】
具体的に、本発明に係る角度調整型マッサージ装置は、マッサージ器及びその固定装置を有する角度調整型マッサージ装置であって、ベースフレームをさらに備え、前記マッサージ器の固定装置と前記ベースフレームとの間に、角度調整装置が配置され接続し、前記マッサージ器の固定装置が前記ベースフレームに対する角度を調整することにより、前記ベースフレームに対する前記マッサージ器の角度を調整し、底部フレームをさらに備え、該底部フレームと、前記ベースフレームとの間に、前記ベースフレームの該底部フレームに対する固定位置を調整する角度調整装置が配置され接続する。
【手続補正６】
【補正対象書類名】明細書
【補正対象項目名】００１０
【補正方法】変更
【補正の内容】
【００１０】
本願は椅子製品を提供し、該椅子製品は、前記した角度調整型マッサージ装置を構成する各フレームに、カバー、または柔軟材料とカバーを包んで形成される。
【国際調査報告】
2013529515.tif 000019
2013529515.tif 000020
2013529515.tif 000021
2013529515.tif 000022
2013529515.tif 000023
2013529515.tif 000024
2013529515.tif 000025
2013529515.tif 000026